(57)【要約】      （修正有）【課題】個包装をそのまま開口部から個包装収容空間へ収容でき、構造も簡便で、収容作業も簡便で、しかも一旦収納した個包装は容易には箱外へ零れ落ちるおそれも無いにも拘らず、容器の強度を高めることができるようにする。【解決手段】中箱３とスリーブ状の外箱とからなり、中箱にはキャンディー収容空間Ｃと仕切り壁によって独立して設けられた包み紙収容空間Ｐが備わり、包み紙収容空間Ｐの上部は開口部２２を除いて中箱３の側面板３Ａに一体に連なる天面板１９で覆われる。外箱の天面板９の包み紙収容空間Ｐを外れた部位に開口部１２が設けられ、開口部２２は中箱３が外箱との間に設けられた所定量以上の引き出しを阻止できるストップ構造によってその引き出しがストップされた状態で一致するようにした。【選択図】図３
2009073543.tif 000002
【特許請求の範囲】
【請求項１】
中箱と両端が開放されているスリーブ状の外箱とからなり、中箱には収容物を収容する
収容物収容空間と、この収容物収容空間と仕切り壁によって独立して設けられた個包装収
容空間が備わり、前記個包装収容空間の上部は開口部を除いて中箱の側面板に一体に連な
る天板で覆われ、外箱の天板の前記個包装収容空間を外れた部位に開口部が設けられ、外
箱と中箱には中箱を所定量引き出すとそれ以上の引き出しを阻止できるストップ構造が備
わり、このストップ構造により中箱の引き出しが阻止された状態で、前記両開口部が一致
するように構成されていることを特徴とする包装用容器。
【請求項２】
収容物収納空間の上部は中箱の引き出し方向端部に形成された収容物取り出し口を除い
て中箱の側面板に一体に連なる天板で覆われている請求項１記載の包装用容器。
【請求項３】
ストップ構造は中箱の底板に折り線を介して下方へ折り曲げられた引っ掛かり舌片と、
外箱の中箱引き出し方向の端縁から折り線を介して外箱内方上方へ立ち上げられた係止板
とから構成されている請求項１〜２のいずれかに記載の包装用容器。
【請求項４】
個包装収容空間と収容物収容空間夫々の天板は、いずれもが中箱の底板に罫線を介して
連設される側面板に罫線を介して連設されて一体に連設されている請求項１〜３のいずれ
かに記載の包装用容器。
【発明の詳細な説明】
【技術分野】
【０００１】
本発明は、包装用容器、例えば主としてキャンディー、ガム、チョコレート、タブレッ
ト等、個々に包み紙で包装された菓子等を収容する容器に関する。
【背景技術】
【０００２】
このキャンディー、ガム、チョコレート、タブレット等は、個装された状態でフイルム
包装袋などに複数個収容されたものがほとんどである。
但し、これらの包装形態においては、いずれも使用後（喫食後）の個包装はごみ（不要
品）となるが、それらを処分する場合はゴミ箱などが設置されている場所まで移動して捨
てるか、服のポケットやカバンなどの中に、ひとまず収容しておき、後でまとめて捨てる
などしなければならず、非常に面倒であり、不便でもあった。
また、 環境破壊、街の美観を損なう原因の一つであるポイ捨ての対象となっている場
合もある。
【０００３】
そこで、ポイ捨ての対象にならない、かつ、ゴミ箱までいちいち捨てに行く必要の無い
使い勝手の良い包装用容器が望まれる。
【０００４】
この要求を満たす提案として、下記に示す特許公報が知られている。
何れも中箱の一端に収容物を収納する物品収納空間とは独立して個包装を収容するため
の個包装収容空間を備えたものである。
【特許文献１】特開２００４−２３１２９２公報
【特許文献２】特開２００６−３１５７３０公報
【発明の開示】
【発明が解決しようとする課題】
【０００５】
しかし、上記公知技術のうちの前者は、個包装収容空間の構造そのものが複雑である上
に、この個包装収容空間の開口部に開閉蓋があるので、これをいちいち開閉し、更には個
包装をその都度折り畳んで差し込まねばならず、収容作業が面倒で、また、開口部の構造
も複雑である。
【０００６】
また、後者のものは、中箱が外箱に収容された状態では、個包装収容空間の開口部は外
箱周壁に覆われて隠され、収容物を中箱から取り出すべく中箱を外箱から引き出したとき
にはじめて中箱の個包装収容空間の開口部が外箱に穿ってある開口部に一致し、個包装を
個包装収容空間へ収容できるようになっているので、個包装をわざわざ折りたたむことな
くそのまま開口部から個包装収容空間へ収容できる。構造も簡便である上に、収容作業も
簡便である。また一旦収納した個包装は容易には箱外へ零れ落ちるおそれも無いという優
れた利点がある。
しかし、幼児や子供が取り扱うには、中箱と外箱の開口部を一致させるのが難しく、個
包装も収容し難い難点がある。これを解決するには、外箱の開口部を大幅に大きくし、中
箱の開口部との間で少々のずれがあっても確実に中箱の開口部を露出させるようにせねば
ならないため、外箱の強度を弱める難点がある。
【０００７】
本発明者等は、この従来の問題点を解決すべく、種々検討を重ねた。
その結果、前記後者に示される包装用容器の利点を生かして、更に中箱の個包装収納空
間の開口部と外箱の開口部とを簡単に一致させることができると共に、容器の強度も高め
ることができる包装用容器を開発したので、ここに提案する。
【０００８】
したがって、本発明の第１の課題は、個包装をわざわざ折りたたむことなくそのまま開
口部から個包装収容空間へ収容でき、構造も簡便である上に、収容作業も簡便で、しかも
一旦収納した個包装は容易には箱外へ零れ落ちるおそれも無いにも拘らず、容器の強度を
高めることができるようにすることである。また、第２の課題は、この第１の課題に加え
て、更なる強度アップを図るようにすることである。
【課題を解決するための手段】
【０００９】
以上の技術的な課題を解決するために、本発明の請求項１記載の包装用容器は、中箱と
両端が開放されているスリーブ状の外箱とからなり、中箱には収容物を収容する収容物収
容空間と、この収容物収容空間と仕切り壁によって独立して設けられた個包装収容空間が
備わり、前記個包装収容空間の上部は開口部を除いて中箱の側面板に一体に連なる天板で
覆われ、外箱の天板の前記個包装収容空間を外れた部位に開口部が設けられ、外箱と中箱
には中箱の所定量引き出すとそれ以上の引き出しを阻止できるストップ構造が備わり、こ
のストップ構造により中箱の引き出しが阻止された状態で、前記両開口部が一致するよう
に構成されている。
【００１０】
この紙箱では、収容物を喫食するべく中箱の一端を押し、他端を外箱から外へ食み出さ
せて中箱を開放する。所定量押し出された中箱はストップ構造の働きで、それ以上は外箱
から食み出さない。このとき、中箱の収容物収容空間上方は収容物を取り出すことできる
ように一部分が開放される。同時に個包装収容空間の開放と外箱に設けられた開口部とが
一致して、個包装収容空間に通じる孔が形成される。次いで、中箱内の包み紙で個別に包
まれる収容物の一つを取り出し、その個包装を剥がして菓子などの収容物を喫食する。剥
がした個包装は外箱の開口部と中箱の開口部とが一致して個包装収容空間に連なる孔が形
成されているので、ここへ収容して一時的に捨てることができる。
【発明の効果】
【００１１】
したがって、この発明は以下の効果を奏する。
以上説明したように、本発明の包装用容器は、従来の個包装収容空間の開口部に開閉蓋
を設けたものや中箱の個包装収納空間の開口部と外箱の開口部とを簡単に一致させること
ができないもの等と違って、中箱を押し出すと、所定量押し出した時点で自動的にその押
し出しがストップされ、それ以上の押し出しが上手く阻止され、併せてこのとき、中箱の
個包装収納空間の開口部と外箱の開口部とがピタリ一致するので、たとえ年少者であって
も、個包装などのごみをわざわざ折り畳んだりすることなく、この開口部から、簡便に、
かつ、的確に個包装収納空間へ差し込み収容することができる。また、個包装収容空間は
天板を備えているので、強度を高めることができ、しかも、中箱を外箱に収納してしまう
と中箱の個包装収容空間の開口部は外箱の天板に覆われて隠されてしまうので、個包装な
どのごみなどが不用意に零れ落ちるおそれがない。
【００１２】
以上の構成においてこの発明では、請求項２に記載された発明のように、収容物収容空
間の上部は中箱の引き出し方向端部に形成された収容物取り出し口を除いて中箱の側面板
に一体に連なる天板で覆われているのが望ましい。
収容物を不用意に零してしまうおそれを無くし、併せて中箱の強度を格段に高めること
ができるからである。
【００１３】
また、請求項３に記載される発明のように、ストップ構造は中箱の底板に折り線を介し
て下方へ折り曲げられた引っ掛かり舌片と、外箱の中箱引き出し方向の端縁から折り線を
介して外箱内方上方へ立ち上げられた係止板とから構成されるのが望ましい。
引っ掛かり舌片と係止板とはブランクを得る際の型抜き作業で一挙に作成でき、加工が
大変簡単であり、構造も簡素であるからである。
【００１４】
請求項４に記載される発明のように、個包装収容空間と収容物収容空間夫々の天板は、
いずれもが中箱の底板に罫線を介して連設される側面板に罫線を介して連設されて一体に
連設されるのが望ましい。
夫々の天板はブランクを得る際の型抜き作業で一挙に作成でき、加工が大変簡単で、構
造も簡素である上に、包装用容器の強度を格段にアップできるからである。
【発明を実施するための最良の形態】
【００１５】
以下、この発明の包装用容器を、キャンディーＡのパッケージ１に適用した場合の実施
の形態について、図面に従って詳細に説明する。
【実施例１】
【００１６】
本発明の包装用容器の一例であるパッケージ１は、図１に示すように、紙製の外箱２と
中箱３とから構成され、外箱２の長手方向の両側端には引き出し口４が開口され、中箱３
はこの引き出し口４から引き出し自在となっている。但し、後述のストップ構造５によっ
て、収容物の一例であるキャンディーＡを喫食する際の引き出し量は所定寸法に設定され
ていて、通常の使用の形態では全体を外箱２から引き出せないように構成されている。外
箱２、中箱３共に所定のシート状用紙を図２、３に示す形状のブランク６に打ち抜いて、
罫線で折り曲げて制作されている。
【００１７】
外箱２は、図２に示すように、所定のシート状用紙を長方形状のブランク６に打ち抜い
て、長手方向の寸法間隔で形成された罫線７で折り曲げ、長手方向の両端を接着して制作
されている。具体的には、長方形の底面板８の一方の長辺に前記罫線７を介して長方形の
側面板２Ａが連設され、この側面板２Ａの地方の長辺に前記罫線７を介して長方形の天面
板９が連設され、更に、この天面板９の他方の長辺に罫線７を介して側面板２Ｂが連設さ
れ、前記底面板８の他方の長辺には罫線７を介して糊代２Ｃが連設されている。なお、こ
の糊代２Ｃは、天面板９の他方の側面板２Ｂに連設されても良い。この場合は、糊代２Ｃ
は、底面板８に直に貼着される。
【００１８】
また、底面板８の長手方向の一端側には台形の切欠き１０が設けられている。そして、
この切欠き１０は消費者が指により直接に中箱３を外箱２の引き出し口４から押し出すの
に用いられる。更に、この外箱２の他端側の辺縁からはその底面板８の幅とほぼ同等の寸
法を備えてストップ構造５の一方の構成部品である係止板１１が罫線７を介して一体に連
設されている。この係止板１１は罫線７で外箱２の内側に、その遊端がやや斜め上方にあ
るようにして折り曲げられる。
【００１９】
そして、この外箱２の天面板９には、その前記切欠き１０側に寄った位置で、他方の側
面板２Ｂとの罫線７に一辺を重ねて矩形の開口部１２が穿設されている。この開口部１２
は、キャンディーＡを包んでいた個包装の一例である包み紙Ｗをごみとして一時的に収容
する、中箱３に設けられた個包装収容空間の一例である包み紙収容空間（後述）への差し
込み口としている。
【００２０】
従って、底面板８に対して各側面板２Ａ、２Ｂ、そして糊代２Ｃを罫線７で谷折して内
側に折り曲げ、糊代２Ｃとこれに対応する側面板２Ｂを貼着すれば、図１、５、６に示す
とおりの外箱２が得られる。
【００２１】
次に、図３に示すように、中箱３は長方形の底面板１３の四周には罫線１４を介して側
面板３Ａ、３Ｂが連設され、長辺に連なる左右一対の側面板３Ａの夫々の両方の短辺には
罫線１４を介して矩形の舌片部としての糊代３Ｃが連設されている。この底面板１３の一
方の短片に連なる前記側面板３Ｂの一方の長辺に罫線１４を介して長方形の天面板１５が
連設されている。この天面板１５の長辺には罫線１６を介して側面板１５Ａが連設されて
いる。この天面板１５の長辺方向の寸法は底面板１３の長辺方向の長さのほぼ四分の三ほ
どに設定されている。そしてこの天面板１５の前記一方の側面板１５Ａと底面板１３に連
なる前記側面板３Ｂとのコーナー部分にはキャンディーＡの取り出し口１７が穿設されて
いる。
【００２２】
従って、天面板１５はその左右の側面板１５Ａ、そして底面板１３に連なる側面板３Ｂ
を夫々罫線１４、１６で底面板１３側に折り曲げて、この底面板１３上を覆うことによっ
て、収容物収容空間の一例であるキャンディー収容空間Ｃが得られる。
【００２３】
更に、前記底面板１３に連なる前記側面板３Ｂでこの取り出し口１７に臨む辺の一部分
を、前記側面板３Ｂの長辺方向に沿う方向に長くし、かつ、この取り出し口１７に突出さ
せてストッパー片１８が一体に連設されている。このストッパー片は１８は、図１に示す
ように、中箱３を外箱２に収容した際に、反対側の引き出し口４から中箱３が押し出され
てしまうのを阻止するためにストッパーとして機能するものである。
【００２４】
また、底面板１３の他方の短辺に連なる側面板３Ｂの長辺には罫線１４を介して長方形
の天面板１９が連設され、この天面板１９の左右の短片に罫線２０を介して側面板１９Ａ
が連設され、更に、他方の長辺に罫線２０を介して長方形の側面板１９Ｂが連設され、更
にこの側面板１９Ｂの他方の長辺に罫線２０を介して長方形の姿勢安定板２１が連設され
ている。
【００２５】
前記天面板１９の底面板１３の長さ方向に沿った方向の寸法はこの底面板１３の長さ方
向のほぼ４分の一ほどに設定されていて、前記キャンディーＡの取り出し口１７を設けた
前記天面板１５とを合わせて丁度底面板１３の長さ方向全長とほぼ等しい長さになるよう
に寸法設定されている。
【００２６】
また、この天面板１９の一方の側面板１９Ａとの罫線２０との脇には、この天面板１９
の短片方向の両側を僅かに残して長方形の開口部２２が穿設されている。この開口部２２
は前記外箱２に設けられた前記開口部１２と一致したときに、包み紙Ｗをごみとして一時
的に収容する、この中箱３に設けられた包み紙収容空間Ｐ（後述）への差し込み口として
いる。
【００２７】
従って、この天面板１９の左右の側面板１９Ａと長辺側の側面板１９Ｂ、更には姿勢安
定板２１を罫線２０で底面板１３側に折り曲げてこの底面板１３上を覆うことによって、
前記キャンディー収容空間Ｃ横に、包み紙Ｗの一時的な収容である、図６に示す通りの、
包み紙収容空間Ｐが得られる。
【００２８】
また、前記天面板１３の前記天面板１５存在側へ、この底面板１３の長さ方向の五分の
二ほどの寸法分寄った位置には、前記天面板１５存在側へ凸にして部分円弧状の切線２３
を設けて引っ掛かり舌片２４が設けられている。この引っ掛かり舌片２４は、中箱３を一
方の引き出し口４から押し出す際に、前記外箱２の係止板１１に係合し、所定量以上の中
箱２の押し出しを阻止するストップ構造５のもう一方の構成部品となっている。このスト
ップ構造５は、先にも述べたが、外箱２の係止板１１に中箱３の引っ掛かり舌片２４が係
合したときに、前記キャンディーＡの取り出し口１７が外箱２の引き出し口４の辺縁から
完全に露出し、内部のキャンディーＡを取り出すことができる。同時に、外箱２の前記開
口部１２と包み紙Ｗの収容空間Ｐを形成する天面板１９に設けられた開口部２２が一致し
て、これら両開口部１２、２２を介して外箱２の外側から、ごみとなった包み紙Ｗをこの
包み紙Ｗの収容空間Ｐ内へ一時的に収容できる（図６参照）。
【００２９】
尚、図３中、２５は包み紙収容空間Ｐの天面板１９の他方の長辺の一部を部分円弧状の
切り線２６によって、前記姿勢安定板２１側に突出させるようにして設けられた引き上げ
用の摘みである。包み紙収容空間Ｐが包み紙Ｗなどで一杯になった際に、この摘み２５を
指先で摘んで引き上げて天面板１９を引き起こして内部の包み紙Ｗなどを廃棄する際に用
いられる。必要に応じて設けられる。
【００３０】
本発明の包装用容器の外箱２並びに中箱３に使用される材料は、紙や合成樹脂素材等、
特に限定されないが、紙層単体に印刷を施したもの、或いは紙層と高分子樹脂からなる他
の層との積層体の紙層面に印刷を施したものなど、更にはコートボールや板紙などの厚紙
類が望ましい。
【００３１】
従って、図４に示すように、中箱３の底面板１３に対してその四週の各側面板３Ａ、３
Ｂを罫線１４で谷折して、上方へ立ち上げるようにして折り曲げ、各糊代３Ｃとこれに対
応する各側面板３Ａ、３Ｂとの端部分とを貼着する。この場合、必要に応じて糊代３Ｃと
これに対応する各側面板３Ａ、３Ｂとの端部分とは貼着しないでおくこともできる。
【００３２】
次いでキャンディー収容空間Ｃの天面板１５に対して左右の側面板１５Ａを内側に折り
曲げ、更に底面板１３に連なる側面板３Ｂに対して罫線１４でこの天面板１５を底面板１
３に覆いかぶさるように折り曲げてキャンディー収容空間Ｃを形成する。
【００３３】
また、反対側の前記包み紙収容空間Ｐの天面板１９の左右の側面板１９Ａ並びに他方の
長辺に連なる側面板１９Ｂを罫線２０で谷折して内側に折り曲げ、前記姿勢安定板２１は
罫線２０で山折して外側へ折り曲げ、これを底面板１３の内底面に折り重ねる。これによ
って包み紙収容空間Ｐが形成される。この際、この姿勢安定板２１はその遊端側２１Ａが
キャンディー収容空間Ｃ内方へ入り込むに足る寸法を備えて構成されているために、キャ
ンディー収容空間Ｃの天面板１５に連なる側面板１５Ａの下縁で押圧され、この包み紙収
容空間Ｐの天面板１９が不用意に引き上げられるおそれがない。
【００３４】
以上のようにしてキャンディー収容空間Ｃと包み紙収容空間Ｐを備えた中箱３が得られ
る。そして、この実施例では、前記包み紙収容空間Ｐの天面板１９の他方の長辺に連なる
側面板１９Ｂが前記キャンディー収容空間Ｃとの仕切り壁となり、両方の収容空間内の収
容物が互いに混じり合うのを阻止している。
【００３５】
このようにして得られた中箱３を外箱２内に、図５に示すように、前記係止板１１の存
在側の引き出し口４側から挿入する。このとき、前記係止板１１はその折曲げ弾性反力に
よって常時遊端が立ち上がる方向に付勢された状態で折り畳み姿勢が保たれる。また、中
箱２に設けられたストッパー片１８が外箱２の前記引き出し口４側の天面板９に引っ掛か
り、それ以上の押し込みを阻止して所定の収納状態を保つ。そして、中箱３を外箱２に完
全に差し込んでしまうと、中箱３のキャンディーＡの取り出し口１７も包み紙差し込み口
となる開口部２２も共に外箱２の天面板９の下に隠される。
【００３６】
そして、キャンディーＡを喫食するべく、図６に示すように、中箱３を押し出すと、所
定寸法押し出されたところで、前記外箱２の係止板１１に中箱３の底面板１３に設けられ
た引っ掛かり舌片２４が引っ掛かり、それ以上の押し出しを阻止する（図６の状態）。そ
の際にキャンディーＡの取り出し口１７は開放されるので、キャンディー収容空間Ｃから
キャンディーＡを取り出すことができる。また同時に包み紙差し込みのための開口部２２
は外箱２の天面板９に設けられた開口部１２と一致し、この開口部１２そして前記開口部
２２を通して、ごみとなった包み紙Ｗを前記包み紙収容空間Ｐへ差し込み収容することが
できる。
【００３７】
このように、以上の実施例構造では、キャンディー収容空間Ｃも包み紙収容空間Ｐも共
に中箱３の底面板１３に連なる側面板３Ｂに一体に連なる天面板１５、１９を備えている
ので、容器、特に中箱３の強度が高まる。また、包み紙収容空間Ｐに包み紙Ｗを差し込む
ための開口部１２、２２も夫々外箱２の天面板９の一部分、また中箱３の天面板１９の一
部分を穿設した開口を形成したので、強度の一層のアップを図ることができる。更には外
箱２からの中箱３の押し出し量を規制して、前記包み紙収容空間Ｐに包み紙Ｗを差し込む
ための開口部１２、２２の位置規制を的確に行うストップ構造５を、外箱２、中箱３夫々
の一部分を折り曲げて得た係止板１１と引っ掛かり舌片２４とで構成したために、構造が
簡単、簡素であるにかかわらず、包み紙Ｗの包み紙収容空間Ｐへの差し込み収容を格段に
的確に行えるようになった。
【００３８】
尚、図３、４中想像線で示すように、キャンディー収容空間Ｃの天面板１５の他方の短
辺に、側面板１５Ｂを連設することもできる。この場合、前記仕切り壁は包み紙収容空間
Ｐの天面板１９に連設される側面板１９Ｂとで二重となり、容器、特に中箱３の強度アッ
プに大きく貢献する。
【実施例２】
【００３９】
本発明の第２の実施例は、図７に示すように、前記姿勢安定板２１がキャンディー収容
空間Ｃの天面板１５の他方の短辺に罫線１６を介して連設された側面板１５Ｂに、その他
方の長辺に罫線１６を介して連設されている。この場合、この姿勢安定板２１は、前記包
み紙収容空間Ｐの天面板１９の短辺方向と同等の長さを備え、折り畳んだ際に中箱３の底
面板１３上に折り重ねられ、もって包み紙収容空間Ｐの側面板１９Ａや１９Ｂの下縁に上
から押さえられ、このキャンディー収容空間のＣの天面板１５が持ち上げられるのを阻止
している。
【００４０】
この実施例では、前記キャンディー収容空間Ｃと包み紙収容空間Ｐとを仕切る仕切り壁
はこのキャンディー収容空間Ｃの天面板１５に連なる側面板１５Ｂと包み紙収容空間Ｐの
天面板１９に連なる側面板１９Ｂとの二重構造となる。
【００４１】
前記姿勢安定板２１は、必要に応じて採用され、必ずしも必要としない。また、キャン
ディー収容空間Ｃの上方を覆う天面板１５も、中箱３に採用される紙等の素材の強度の如
何によっては、必ずしも必要としない。
【００４２】
尚、以上の各実施例においてパッケージ１に収容物されるものとしてキャンディーＡを
例示したが、収容物はキャンディーに限定されるものではなく、個包装を有する菓子類全
てに適用できることは改めて言うまでない。
【図面の簡単な説明】
【００４３】
【図１】本発明の包装用容器の一実施形態を示す全体斜視図である。
【図２】図１の包装用容器を構成する外箱の展開図である。
【図３】図１の包装用容器を構成する中箱の展開図である。
【図４】図１の包装用容器を構成する中箱の組み立ての工程図である。
【図５】図１の包装用容器の中箱を外箱に押し込む肯定を示す斜視図である。
【図６】図１の包装用容器の作用を示す説明斜視図である。
【図７】本発明の包装用容器の他の実施形態を示す中箱の展開図である。
【符号の説明】
【００４４】
１…パッケージ
２…外箱
３…中箱
４…引き出し口
５…ストップ構造
８…外箱の底面板
９…外箱の天面板
１２…開口部
１３…中箱の底面板
１５…キャンディー収容空間の天面板
１７…取り出し口
１９…包み紙収容空間の天面板
２２…開口部
２４…引っ掛かり舌片
【図１】
2009073543.tif 000003
【図２】
2009073543.tif 000004
【図３】
2009073543.tif 000005
【図４】
2009073543.tif 000006
【図５】
2009073543.tif 000007
【図６】
2009073543.tif 000008
【図７】
2009073543.tif 000009